(57)【要約】      （修正有）【課題】一度設置させた後に他の場所に移動させることができる昇降式収納機器を提供する。【解決手段】屋内の下部と上部の間で支持される突っ張り棒２と、前記突っ張り棒と略平行に設置され、上部に中空体が横方向に設けられた吊下支持体３と、前記突っ張り棒と前記吊下支持体とを横方向で連結させる横長連結体４と、前記横長連結体に吊下され、凹形状で上部が開口し下部に取出口が形成された収納体５と、により構成する。前記吊下支持体は、略垂直方向移動と中心軸周り回転が可能で、前記収納体を使用者の使いやすい位置に移動させることができる。【選択図】図１
2020018566.tif 000002
【特許請求の範囲】
【請求項１】
上下昇降可能な昇降式収納機器であって、
上下高さ調節可能で、屋内の下部と上部の間で支持される突っ張り棒と、
略逆Ｌ字形状で、前記突っ張り棒と略平行に設置され、上部に少なくとも２個以上中空体が横方向に設けられた吊下支持体と、
前記突っ張り棒と前記吊下支持体とを横方向で連結させる横長連結体と、
凹形状で上部が開口し、下部に取出口が形成された収納体と、
一端で前記収納体を吊下げ、他端が前記吊下支持体の中空体内を通って、下方で係止される吊下ロープと、を有し、
前記横長連結体は、前記突っ張り棒と前記吊下支持体とを少なくとも２箇所で連結させている昇降式収納機器。
【請求項２】
前記吊下支持体は、該吊下支持体の略垂直方向移動可能で、かつ該吊下支持体の略垂直方向中心軸周りに回転可能に設置されていることを特徴とする請求項１記載の昇降式収納機器
【請求項３】
前記収納体は、２つの空間に仕切られ、それぞれの空間の下部に前記取出口が形成されていることを特徴とする請求項１または請求項２に記載の昇降式収納機器。
【請求項４】
前記吊下支持体は、上部上側面横方向に、Ｕ字形状部を有する棒状支持部材が取り付けられていることを特徴とする請求項１〜請求項３のいずれか１項記載の昇降式収納機器。
【発明の詳細な説明】
【技術分野】
【０００１】
本発明は、  上下昇降可能な昇降式収納機器に関する。
【背景技術】
【０００２】
従来より、上下昇降可能な昇降式収納機器（収納棚）が知られている。この種の上下動可能な収納棚Ａとして、図１２に示すように、内箱１１０の左右側壁外面および底部に沿って設けられた略コの字形状のブレーキレバー１１２と、このブレーキレバー１１２の両先端部にコイルスプリング１１２ａ、１１２ａを介して固定されかつ内箱１１０に対してそれぞれ回動自在に配設された一対のブレーキ爪１１３、１１３と、ブレーキレバー１１２に近接して内箱１１０の底部外面に配設された取っ手１１４と、内箱１１０の左右側壁外面に配設された一対の可動レール１１１、１１１とが内箱１１０に備えられている。また、外箱１２０の側壁内面に配設されて可動レール１１１、１１１を案内する一対の固定レール１２１、１２１と、外箱１２０の後部側壁内面に配設された固定ブロック１２３と、固定レール１２１、１２１に固定されて、一対のブレーキ爪１１３、１１３を係止するブレーキラック１２２とが外箱に備えられている。そして、固定ブロック１２３にコイルスプリング１２４を介して保持される移動ブロック１２５を備えるとともに、内箱１１０と外箱１２０との間に滑車装置１３０を備え、滑車装置１３０のワイヤーロープ１３５の一端を外箱１２０の天板内壁面に固定するとともに、滑車装置１３０のワイヤーロープ１３５の他端を内箱１１０の後部側壁外面に固定し、滑車装置１３０の一部が移動ブロック１２５に固定されている。
【０００３】
このように構成された上下動可能な収納棚Ａは、取っ手１１４を持ってブレーキレバー１１２を引っ張ることにより、ブレーキラック１２２に係止されていたブレーキ爪１１３、１１３がブレーキラック１２２より外れるため、内箱１１０の可動レール１１１、１１１は外箱１２０の固定レール１２１、１２１に案内されて移動可能となる。このとき、滑車装置１３０の一部がコイルスプリング１２４を介して保持される移動ブロック１２５に固定されているため、取っ手１１４に補助的な力を下方に加えるだけで容易に内箱１１０が移動し、所望の高さ位置でブレーキレバー１１２を離すことにより、ブレーキ爪１１３、１１３がブレーキラック１２２に係止されることとなる。このように、食器等を内箱１１０の棚から取り出したり、収納することが可能となるというものであった（たとえば、特許文献１）。ここで、図１２は、従来の昇降式収納機器を示す図である。
【先行技術文献】
【特許文献】
【０００４】
【特許文献１】特開２０００−２１７６５１号公報
【発明の概要】
【発明が解決しようとする課題】
【０００５】
しかしながら、従来の昇降式収納機器（収納棚）では、内箱１１０の左右側壁外面に可動レール１１１、１１１が配設され、外箱１２０の側壁内面に可動レール１１１、１１１を案内する一対の固定レール１２１、１２１が配設され、また、内箱１１０と外箱１２０との間に備えられた滑車装置１３０のワイヤーロープ１３５の一端が外箱１２０の天板内壁面に固定されるとともに、滑車装置１３０のワイヤーロープ１３５の他端が内箱１１０の後部側壁外面に固定され、滑車装置１３０の一部が移動ブロック１２５に固定されている構造であるので、収納棚Ａを一度設置させると他の場所に移動させることが困難であるという問題があった。また、内箱１１０の棚から食器等を取り出すためには、内箱１１０を下方まで移動しなければならず、手間が大きいという問題があった。
【０００６】
本発明は上記問題点に鑑みてなされたもので、手軽に設置できるとともに、収納体に容易に投入でき、収納体の中のものを容易に取り出すことができる昇降式収納機器を提供することを目的とする。
【課題を解決するための手段】
【０００７】
上記課題を解決し上記目的を達成するために、本発明のうち第１の態様に係るものは、上下昇降可能な昇降式収納機器であって、上下高さ調節可能で、屋内の下部と上部の間で支持される突っ張り棒と、略逆Ｌ字形状で、前記突っ張り棒と略平行に設置され、上部に少なくとも２個以上中空体が横方向に設けられた吊下支持体と、前記突っ張り棒と前記吊下支持体とを横方向で連結させる横長連結体と、凹形状で上部が開口し、下部に取出口が形成された収納体と、一端で前記収納体を吊下げ、他端が前記吊下支持体の中空体内を通って、下方で係止される吊下ロープと、を有し、前記横長連結体は、前記突っ張り棒と前記吊下支持体とを少なくとも２箇所で連結させているものである。
【０００８】
本発明によれば、突っ張り棒を屋内の下部と上部の間に取り付けることにより昇降式収納機器が設置できるので、昇降式収納機器の設置に時間を要せず簡単手軽に設置することができる。また、吊下ロープに吊り下げられた収納体の上部から収納物を収納体内に投げ込み、そして収納体の下部の取出口から収納物を取出すことができるので、吊下ロープを緩めて収納体を下ろすことなく、収納体の中の収納物を容易に取り出すことができる。
【０００９】
本発明のうち第２の態様に係るものは、第１の態様に係る昇降式収納機器であって、前記吊下支持体は、該吊下支持体の略垂直方向移動可能で、かつ該吊下支持体の略垂直方向中心軸周りに回転可能に設置されていることを特徴とするものである。
【００１０】
本発明によれば、吊下支持体が吊下支持体の略垂直方向移動可能であるので、使用者の背丈などに応じて容易に収納体の位置を変更することができる。また、吊下支持体が吊下支持体略垂直方向中心軸周りに回転可能に設置されているので、使用者の使いやすい方向に収納体を移動させることができる。
【００１１】
本発明のうち第３の態様に係るものは、第１の態様または第２の態様に係る昇降式収納機器であって、前記収納体は、２つの空間に仕切られ、それぞれの空間の下部に前記取出口が形成されていることを特徴とするものである。
【００１２】
本発明によれば、収納体が２つの空間に仕切られ、それぞれの空間の下部に取出口が形成されているので、たとえば１つの空間にバスタオルを入れ、他の空間にフェイスタオルを入れ、それぞれの取出口から収納物（バスタオル、フェイスタオル）を取出すことができるので、使用者の使い勝手をよくすることができる。
【００１３】
本発明のうち第４の態様に係るものは、第１〜第３のいずれかの態様に係る昇降式収納機器であって、前記吊下支持体は、上部上側面横方向に、Ｕ字形状部を有する棒状支持部材が取り付けられていることを特徴とするものである。
【００１４】
本発明によれば、吊下支持体の上部上側面の横方向にＵ字形状部を有する棒状支持部材が取り付けられているので、２つの昇降式収納機器の吊下支持体の棒状支持部材に竿棒部材を係止させ、その竿棒部材に衣類を掛けることにより、濡れた衣類を乾かすことができる。
【発明の効果】
【００１５】
本発明の昇降式収納機器によれば、手軽に設置できるとともに、収納体に容易に投入でき、収納体の中のものを容易に取り出すことができる。
【図面の簡単な説明】
【００１６】
【図１】本発明の第１実施形態における昇降式収納機器を脱衣場に設置した外観斜視図である。
【図２】（ａ）同昇降式収納機器の突っ張り棒の斜視図である。（ｂ）同昇降式収納機器の突っ張り棒の長手方向断面図である。（ｃ）同昇降式収納機器の突っ張り棒下部の拡大断面図である。
【図３】（ａ）同昇降式収納機器の吊下支持体の斜視図である。
【図４】（ａ）同昇降式収納機器の横長連結体の斜視図である。（ｂ）同昇降式収納機器の横長連結体の断面図である。
【図５】（ａ）同昇降式収納機器の収納体の上面斜視図である。（ｂ）同昇降式収納機器の収納体の上面図である。（ｃ）図５（ｂ）のＸ−Ｘ断面図である。（ｄ）図５（ｃ）のＹ−Ｙ断面図である。
【図６】同昇降式収納機器の吊下支持体を下降させた状態を示す図である。
【図７】同昇降式収納機器の収納体の回転方向の位置調整を示す図である。
【図８】同昇降式収納機器の使用状態を示す図である。
【図９】（ａ）本発明の第２実施形態における昇降式収納機器の外観斜視図である。（ｂ）同昇降式収納機器の横長連結体の斜視図である。
【図１０】（ａ）本発明の第３実施形態における昇降式収納機器を示す図である。（ｂ）同昇降式収納機器の吊下支持体３３の棒状支持部材を示す図である。
【図１１】同昇降式収納機器を脱衣場に設置した外観斜視図である。
【図１２】従来の昇降式収納機器を示す図である。
【発明を実施するための形態】
【００１７】
以下、本発明にかかる昇降式収納機器の第１実施形態について図面を参照にしながら説明する。ここで、図１は本発明の第１実施形態における昇降式収納機器を脱衣場に設置した外観斜視図であり、図２（ａ）は同昇降式収納機器の突っ張り棒の斜視図であり、図２（ｂ）は同昇降式収納機器の突っ張り棒の長手方向断面図であり、図２（ｃ）同昇降式収納機器の突っ張り棒下部の拡大断面図であり、図３（ａ）は同昇降式収納機器の吊下支持体の斜視図であり、図４（ａ）は同昇降式収納機器の横長連結体の斜視図であり、図４（ｂ）は同昇降式収納機器の横長連結体の断面図であり、図５（ａ）は同昇降式収納機器の収納体の上面斜視図であり、図５（ｂ）は同昇降式収納機器の収納体の上面図であり、図５（ｃ）は図５（ｂ）のＸ−Ｘ断面図であり、図５（ｄ）は図５（ｃ）のＹ−Ｙ断面図である。
。
【００１８】
昇降式収納機器１は、突っ張り棒２と、吊下支持体３と、横長連結体４と、収納体５と、吊下ロープ６とを有し、脱衣場Ｂ（洗面室）で用いられる収納機器である（図１参照）。なお、本実施形態では、昇降式収納機器１を脱衣場Ｂ（洗面室）で使用する態様について説明するが、これに限らず、脱衣場Ｂ（洗面室）以外の屋内の部屋であれば何処で使用してもよい。
【００１９】
突っ張り棒２は、突っ張り外棒２ａと、突っ張り内棒２ｂと、ガイド部材２ｃと、上部エンドキャップ２ｄと、下部エンドキャップ２ｅと、コイルばね２ｆとを有し、上下高さ調節可能で、脱衣場Ｂの下部と上部の間で支持されるものである（図２参照）。
【００２０】
突っ張り外棒２ａは、上端部が開口で、その開口から内部下方に向けて空洞になっており、上端外側面には雄ネジ部２ｇが螺設され、側面には後述する突っ張り棒ロックピン４ｄが挿入される突っ張り棒ロックピン挿入孔２ｈが形成され、また下端には下部エンドキャップ取付孔２ｉが形成されている。また、突っ張り内棒２ｂは、後方部が突っ張り外棒２ａ内に挿入され、後端部内側面の一部に爪部２ｊが形成されている。また、ガイド部材２ｃは、突っ張り内棒２ｂが挿入された突っ張り外棒２ａの先端外周部に取り付けられ、内面に突っ張り外棒２ａの雄ネジ部２ｇと螺合する雌ネジ部２ｋが形成されている。そして、突っ張り外棒２ａに突っ張り内棒２ｂが挿入された状態で、突っ張り外棒２ａの先端外周部のガイド部材２ｃを回転させることにより、突っ張り外棒２ａ上端外側面の雄ネジ部２ｇとガイド部材２ｃ内面の雌ネジ部２ｆとが螺合し、突っ張り外棒２ａと突っ張り内棒２ｂの横方向のガタつきを防ぐことができる。また、上部エンドキャップ２ｄは、突っ張り内棒２ｂ上端に嵌め込むことにより取り付けられ、下部エンドキャップ２ｅは、突っ張り外棒２ａ下端の下部エンドキャップ取付孔２ｉに挿入された下部エンドキャップ取付ビス２ｎにより取り付けられている。また、コイルばね２ｆは、突っ張り外棒２ａ下部に挿入され、下端部が下部エンドキャップ取付ビス２ｎにより係止されている。そして、突っ張り内棒２ｂを回転させることにより、突っ張り内棒２ｂ下端の爪部２ｊがコイルばね２ｆに沿って螺旋状に回転しながら、突っ張り内棒２ｂを上下に移動させ、突っ張り棒２の全長長さを変動させることができる。
【００２１】
吊下支持体３は、略逆Ｌ字形状で、吊下支持体縦棒３ａと、吊下支持体横棒３ｂと、Ｌ型連結キャップ３ｃとを有し、上下高さ調節可能で、収納体５を吊るすものである（図１、図３参照）。
【００２２】
吊下支持体横棒３ｂは、下部に横方向に中空体３ｄが２個設けられ、上部には弾性体の天井接触部７が２個設けられている（図１、図３参照）。このように、吊下支持体３上部に弾性体からなる天井接触部７が設けられているので、吊下支持体３が脱衣場Ｂの天井に接触することがあっても脱衣場Ｂの天井に傷が付くことを防止することができる。この中空体３ｄは、先端部（図３では上端部）周辺に中空体雄ネジ部３ｐが形成され、その先端から吊下支持体横棒３ｂに形成された中空体挿入孔３ｑに挿入させ、中空体３ｄの中空体雄ネジ部３ｐとナット３ｒを螺合させることにより、中空体３ｄを吊下支持体横棒３ｂに設置させることができる。なお、本実施形態では、吊下支持体３下部に中空体３ｄが２個設けられ、吊下支持体３上部に天井接触部７が２個設けられたが、これに限らず、３個や４個などの２個以上設けてもよい。また、吊下支持体縦棒３ａは、昇降式収納機器１の設置時に突っ張り棒２と略平行となり、下部には高さ方向等間隔で後述する吊下支持体ロックピン３ｆが挿入される吊下支持体ロックピン挿入孔３ｅが複数個形成されている。Ｌ型連結キャップ３ｃは、吊下支持体縦棒３ａと吊下支持体横棒３ｂとを連結させるもので、下面部に吊下支持体縦棒３ａが差し込まれる棒下方向差込口３ｇが形成され、側面部には吊下支持体横棒３ｂが差し込まれる横方向差込口３ｈが形成されている。また、横方向差込口３ｈの外周面にはＬ型連結キャップネジ３ｉが挿入されるＬ型連結キャップネジ孔３ｊが形成されている。そして、棒下方向差込口３ｇに吊下支持体縦棒３ａの上端部が差し込まれ、横方向差込口３ｈに吊下支持体横棒３ｂの上端部が差込まれることによりＬ型連結キャップ３ｃが一体化され、Ｌ型連結キャップネジ孔３ｊにＬ型連結キャップネジ３ｉが挿入されることにより吊下支持体横棒３ｂがＬ型連結キャップネジ孔３ｊから抜けないように支持される。ここで、吊下支持体３の上端部には上部エンドキャップ３ｋが取り付けられ、下端部には下部エンドキャップ３ｎが取り付けられている。この上部エンドキャップ３ｋおよび下部エンドキャップ３ｎは、吊下支持体３の上端部もしくは下端部に嵌め込むことにより取り付けられる。
【００２３】
横長連結体４は、突っ張り棒２と吊下支持体３とを横方向で連結させるものである（図１、図４参照）。具体的には、横長連結体４は、突っ張り棒２が挿入される突っ張り棒挿入孔４ａと、吊下支持体３が挿入される吊下支持体挿入孔４ｂが形成され、その突っ張り棒挿入孔４ａと吊下支持体挿入孔４ｂとが連結部４ｃで連結され、一体構成で形成されている。そして、横長連結体４は、突っ張り棒２の高さ方向である位置で固定されるが、吊下支持体３は、横長連結体４の吊下支持体挿入孔４ｂを介して高さ方向に移動でき、吊下支持体３の高さ方向である位置で吊下支持体３の吊下支持体ロックピン挿入孔３ｅに吊下支持体ロックピン３ｆが挿入されることにより、吊下支持体３が横長連結体４に設置される。この吊下支持体ロックピン３ｆは、先端部に抜け防止部材３ｓが形成されている。この抜け防止部材３ｓは、吊下支持体ロックピン３ｆをロックピン挿入孔３ｅに挿入するときに、ロックピン挿入孔３ｅ内面からの圧力により抜け防止部材３ｓが吊下支持体ロックピン３ｆ内に入り込み、吊下支持体ロックピン３ｆをロックピン挿入孔３ｅにスムーズに挿入させることができる。そして、抜け防止部材３ｓがロックピン挿入孔３ｅから出ると抜け防止部材３ｓがロックピン挿入孔３ｅ内面から圧力を受けなくなるので、吊下支持体ロックピン３ｆ内に入っていた抜け防止部材３ｓが吊下支持体ロックピン３ｆ側面から出てくる。これにより、吊下支持体ロックピン３ｆがロックピン挿入孔３ｅから抜けることを防止することができる。ここで、横長連結体４は、突っ張り棒２の高さ方向の異なる位置で２個固定されているが、これに限らず、突っ張り棒２の高さ方向の異なる位置で２個以上で固定されるようにしてもよい。また、横長連結体４の突っ張り棒挿入孔４ａの側面には、突っ張り棒ロックピン４ｄが挿入されるロックピン連結体固定孔４ｅが形成されている。そして、突っ張り棒ロックピン４ｄは、ロックピン連結体固定孔４ｅを介して、突っ張り外棒２ａに形成された突っ張り棒ロックピン挿入孔２ｈに挿入される。また、吊下支持体挿入孔４ｂの内面には、ベアリング４ｆが設けられている。このベアリング４ｆにより、吊下支持体挿入孔４ｂに挿入された吊下支持体３をスムーズに回転させることができる。
【００２４】
収納体５は、凹形状で上部が開口し、下部に取出口が形成されている（図５参照）。具体的には、収納体５の上部２隅には収納体ロープ５ａが結合され、その２個の収納体ロープ５ａは中央で結合されている。また、収納体５の内部は、中心部に「バスタオルを入れる空間５ｂ」が形成され、その外縁部に「フェイスタオルを入れる空間５ｃ」が形成されている。そして、「バスタオルを入れる空間５ｂ」と「フェイスタオルを入れる空間５ｃ」の間には、下部から上部までの仕切り部５ｄが設けられている。また、「バスタオルを入れる空間５ｂ」の下部には「バスタオル取出口５ｅ（取出口）」が形成され、「フェイスタオルを入れる空間５ｃ」の下部には「フェイスタオル取出口５ｆ（取出口）」が形成されている。この「バスタオルを入れる空間５ｂ」は、上部が開口し、下部に「バスタオル取出口５ｅ（取出口）」が形成された構造であり、また、「フェイスタオルを入れる空間５ｃ」は、上部が仕切り部５ｄにより閉鎖され、下部に「フェイスタオル取出口５ｆ（取出口）」が形成された構造である。なお、本実施形態では、収納体５の内部に「バスタオルを入れる空間５ｂ」と「フェイスタオルを入れる空間５ｃ」を形成させたが、「バスタオルを入れる空間５ｂ」のみの１つの空間にしてもよく、中央の「バスタオルを入れる空間５ｂ」についても「フェイスタオルを入れる空間」や「衣類（シャツ、靴下など）を入れる空間」にしてもよい。また、外縁部の「フェイスタオルを入れる空間５ｃ」を「衣類（シャツ、靴下など）を入れる空間」にしてもよい。このように、収納体５が２つの空間に仕切られ、それぞれの空間の下部に取出口が形成されているので、たとえば１つの空間にバスタオルを入れ、他の空間にフェイスタオルを入れ、それぞれの取出口５ｅ、５ｆから収納物（バスタオル、フェイスタオル）を取出すことができるので、使用者の使い勝手をよくすることができる。なお、本実施形態では、「フェイスタオルを入れる空間５ｃ」の上部を仕切り部５ｄにより閉鎖させたが、これに限らず、「フェイスタオルを入れる空間５ｃ」の上部を「バスタオルを入れる空間５ｂ」と同様に開口させるようにしてもよい。また、本実施形態では、仕切り部５ｄの下部は、バスタオル取出口５ｅ（取出口）の外側で縫合するようにして固定させるようにしたが、これに限らず、どこにも固定せず自由に移動できるようにしてもよい。
【００２５】
吊下ロープ６は、一端で収納体５を吊下げ、他端が吊下支持体３の中空体３ｄ内を通って、下方で係止される（図１、図３参照）。具体的には、吊下ロープ６の一端は、収納体５の上部中央の収納体ロープ５ａに結合され、吊下ロープ６の他端は、そこから上部に配され、吊下支持体３の中空体３ｄ内を通って、吊下支持体３の中空体３ｄより下方の横長連結体４の連結部４ｃで係止されている。なお、本実施形態では、吊下支持体３の中空体３ｄより下方の横長連結体４の連結部４ｃで係止させたが、これに限らず、横長連結体４の連結部４ｃ以外の吊下支持体３の中空体３ｄより下方の部材に係止させるようにしてもよい。
【００２６】
次に、昇降式収納機器１を脱衣場Ｂに取り付ける方法について、図６を参照にしながら説明する。ここで、図６は本発明の第１実施形態における昇降式収納機器の吊下支持体を下降させた状態を示す図である。
【００２７】
まず、昇降式収納機器１を組み立てる。すなわち、横長連結体４の突っ張り棒挿入孔４ａに突っ張り棒２を挿入させるとともに、横長連結体４の吊下支持体挿入孔４ｂに吊下支持体３を挿入させる。ここで、突っ張り棒２の横長連結体４の突っ張り棒挿入孔４ａへの挿入は、突っ張り外棒２ａから突っ張り内棒２ｂとガイド部材２ｃとを取り外して行われ、また、吊下支持体３の挿入横長連結体４の吊下支持体挿入孔４ｂへの挿入は、吊下支持体縦棒３ａを棒下方向差込口３ｇから取り外して行われる。そして、横長連結体４を突っ張り棒２のある高さ位置で固定するため、横長連結体４のロックピン連結体固定孔４ｅおよび突っ張り棒２の突っ張り棒ロックピン挿入孔２ｈに突っ張り棒ロックピン４ｄを挿入させる。これにより、横長連結体４が突っ張り棒２のある高さ位置で回転不可能な状態で固定される。また、吊下ロープ６の一端を収納体５の上部中央の収納体ロープ５ａと結合させ、吊下ロープ６の他端を吊下支持体３の中空体３ｄ内を通し、吊下支持体３の中空体３ｄより下方の横長連結体４の連結部４ｃに係止させる。これにより、昇降式収納機器１（突っ張り棒２と吊下支持体３と横長連結体４と収納体５）が組み立てられる。この昇降式収納機器１の組み立ては、昇降式収納機器１を購入当初から通常行われている場合は、組み立てられた状態の昇降式収納機器１を用い、昇降式収納機器１の組み立て作用を行う必要はない。
【００２８】
次に、昇降式収納機器１を脱衣場Ｂのドアの外枠上板８内面と床面との間に取り付ける。この昇降式収納機器１の取り付けは、ガイド部材２ｃを緩めて、突っ張り内棒２ｂを回転させ、突っ張り棒２の全長長さが脱衣場Ｂのドアの外枠上板８内面と床面との間の長さより少し長くなったところで突っ張り内棒２ｂの回転を停止させる。そして、突っ張り内棒２ｂを押しながら脱衣場Ｂのドアの外枠上板８内面と床面との間に設置する。これにより、突っ張り棒２は、突っ張り外棒２ａ内のコイルばね２ｆのバネ力により外れないよう、脱衣場Ｂのドアの外枠上板８内面と床面との間に強く取り付けることができる。ここで、突っ張り棒２が脱衣場Ｂのドアの外枠上板８内面と床面との間に取り付けられた状態では、吊下支持体３は横長連結体４の吊下支持体挿入孔４ｂ内を介し下部に下りているが、この場合でも吊下支持体３の下端と床面の間に空間が設けられている（図６参照）。このように、吊下支持体３の下端と床面の間に空間を設けることにより、吊下支持体３の下端と床面の間に足を挟むことを防止することができる。
【００２９】
次に、吊下支持体３の高さ位置を調整する。この吊下支持体３の高さ位置の調整は、吊下支持体３を横長連結体４の吊下支持体挿入孔４ｂを介して上方に移動させた後に、吊下支持体３の吊下支持体ロックピン挿入孔３ｅに吊下支持体ロックピン３ｆを挿入させることにより、所定の高さ位置に吊下支持体３を設置することができる（図１参照）。ここで、吊下支持体ロックピン３ｆは、横長連結体４上部の吊下支持体ロックピン挿入孔３ｅに挿入されているので、横長連結体４の吊下支持体挿入孔４ｂ内を自由に回転させることができる。
【００３０】
次に、収納体５の位置調整（「高さ方向の位置調整」と「回転方向の位置調整」）とが行われる。この収納体５の位置調整は、吊下ロープ６の長さ調整を行うことにより収納体５の「高さ方向の位置調整」が行われ、横長連結体４の吊下支持体挿入孔４ｂ内で吊下支持体３の略垂直方向中心軸周りに回転させることにより、収納体５の「回転方向の位置調整」が行われる（図７参照）。このようにして、昇降式収納機器１が脱衣場Ｂに取り付けられる。ここで、図７は、本発明の一実施形態における昇降式収納機器の収納体の回転方向の位置調整を示す図である。
【００３１】
次に、昇降式収納機器１の使用方法について、図８を参照にしながら説明する。ここで、図８は、本発明の第１実施形態における昇降式収納機器の使用状態を示す図である。
【００３２】
脱衣場Ｂに取り付けられた昇降式収納機器１の収納体５上部から収納体５内にバスタオル９を投入するとともに、収納体５下部のフェイスタオル取出口５ｆから収納体５内にフェイスタオル１０を挿入させる。すなわち、バスタオル９は収納体５上部から「タオルを入れる空間５ｂ」に投入し、フェイスタオル１０は収納体５下部のフェイスタオル取出口５ｆから収納体５内に挿入させる。このようにすることにより、収納体５を下部に移動させず上部に設置させたままで、バスタオル９を収納体５の下から投げ込んで、収納体５内に容易に投入させることができる。
【００３３】
収納体５下部のバスタオル取出口５ｅ（取出口）からバスタオル９を取り出す。すなわち、収納体５下部にはバスタオル取出口５ｅ（取出口）が形成され、そのバスタオル取出口５ｅ（取出口）から収納体５内のバスタオル９が取り出される。ここで、バスタオル取出口５ｅ（取出口）から収納体５内のバスタオル９が取り出されれば、収納体５内のバスタオル９の一部がバスタオル取出口５ｅ（取出口）から出た状態になるので、その次のバスタオル９の取り出しが容易になる。また、フェイスタオル１０についても、バスタオル９と同様、収納体５下部のフェイスタオル取出口５ｆ（取出口）から取り出すことができる。フェイスタオル１０の取出方法は、バスタオル９の取出方法と同様であるので、説明は省略する。
【００３４】
以上説明したように、昇降式収納機器１の突っ張り棒２を脱衣場Ｂの床面（下部）とドアの外枠上板８内面（上部）の間に取り付けることにより昇降式収納機器１を設置することができるので、昇降式収納機器１の設置に時間を要せず簡単手軽に設置することができる。また、吊下ロープ６に吊り下げられた収納体５の上部からバスタオル９（収納物）を収納体５内に投げ込み、そして収納体５の下部のバスタオル取出口５ｅ（取出口）からバスタオル９（収納物）を取出すことができるので、吊下ロープ６を緩めて収納体５を下ろすことなく、収納体５の中のバスタオル９（収納物）を容易に取り出すことができる。さらに、吊下支持体３の横長連結体４への高さ方向の保持位置を変えることにより、使用者の背丈などに応じて容易に収納体５の位置を変更することができる。
【００３５】
次に、本発明にかかる昇降式収納機器の第２実施形態について図面を参照にしながら説明する。ここで、図９（ａ）は本発明の第２実施形態における昇降式収納機器の外観斜視図であり、図９（ｂ）は同昇降式収納機器の横長連結体の斜視図である。
【００３６】
本発明の第１実施形態と第２実施形態の異なるところは、第１実施形態では、突っ張り棒２と吊下支持体３とを横方向で連結させる横長連結体４を２個別体に設けたのに対し、第２実施形態では、突っ張り棒２と吊下支持体３とを横方向で連結させる第１実施形態の横長連結体４を突っ張り棒２側で一体にさせたところが異なる。その他については、第１実施形態と同一構成であるので、説明は省略する。
【００３７】
本実施形態の横長連結体２４は、第１実施形態の２つの横長連結体４を突っ張り棒２の外側の中間円筒形部２４ａで一体としたものである。このような構成にすることにより、第１実施形態の横長連結体４と比較して、突っ張り棒２へ容易に取り付けることができる。すなわち、第１実施形態の横長連結体４では、突っ張り棒ロックピン４ｄを「横長連結体４のロックピン連結体固定孔４ｅ」と「突っ張り棒２の突っ張り棒ロックピン挿入孔２ｈ」の位置を２個の横長連結体４毎合わして挿入させる必要があるが、第２実施形態の横長連結体２４では、２個の横長連結体４が一体になっているため、一方の「横長連結体２４のロックピン連結体固定孔２４ｅ」と「突っ張り棒２の突っ張り棒ロックピン挿入孔２ｈ」の位置を合わせると、他方の「横長連結体２４のロックピン連結体固定孔２４ｅ」と「突っ張り棒２の突っ張り棒ロックピン挿入孔２ｈ」の位置も必然的に合うので、突っ張り棒ロックピン４ｄの挿入に際し、「横長連結体２４のロックピン連結体固定孔２４ｅ」と「突っ張り棒２の突っ張り棒ロックピン挿入孔２ｈ」の位置合わせの手間が削減でき、横長連結体２４を突っ張り棒２へ容易に取り付けることができる。
【００３８】
次に、本発明にかかる昇降式収納機器の第３実施形態について図面を参照にしながら説明する。ここで、図１０（ａ）は本発明の第３実施形態における昇降式収納機器を示す図であり、図１０（ｂ）は同昇降式収納機器の吊下支持体の棒状支持部材を示す図であり、図１１は同昇降式収納機器を脱衣場Ｂに設置した外観斜視図である。
【００３９】
本発明の第１実施形態（第２実施形態）と第３実施形態の異なるところは、第１実施形態（第２実施形態）では、吊下支持体３上部に弾性体からなる天井接触部７を設けたのに対し、第３実施形態では、吊下支持体３３の上部上側面横方向に中央Ｕ字形状（Ｕ字形状部）を有する棒状支持部材３２を設けた構成にしたところが異なる（図１０参照）。
【００４０】
棒状支持部材３２は、吊下支持体３３上部長手方向に向かって、２個設けられている。この棒状支持部材３２は、両先端部に雄ネジが形成され、その先端部を吊下支持体３３に形成された棒状支持部材挿入孔３５に挿入させ、棒状支持部材３２の両先端部にナット３６を取り付けることにより、設置される（図１０（ｂ）参照）。なお、本実施形態では、吊下支持体３３上部に棒状支持部材３２を２個設けたが、これに限らず、１個でも２個以上の複数個設けるようにしてもよい。
【００４１】
このように、吊下支持体３３上部に棒状支持部材３２を設けた昇降式収納機器３１を２個設置することにより、２個の昇降式収納機器３１の棒状支持部材３２に竿棒部材３４を係止させることができ、その竿棒部材３４にタオルや衣類などを掛けることができる（図１１参照）。
【００４２】
なお、今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【符号の説明】
【００４３】
１    昇降式収納機器
２    突っ張り棒
２ａ  突っ張り外棒
２ｂ  突っ張り内棒
２ｃ  ガイド部材
２ｄ  上部エンドキャップ
２ｅ  下部エンドキャップ
２ｆ  コイルばね
２ｇ  雄ネジ部
２ｈ  突っ張り棒ロックピン挿入孔
２ｉ  下部エンドキャップ取付孔
２ｊ  爪部
２ｋ  雌ネジ部
２ｎ  下部エンドキャップ取付ビス
３    吊下支持体
３ａ  吊下支持体縦棒
３ｂ  吊下支持体横棒
３ｃ  Ｌ型連結キャップ
３ｄ  中空体
３ｅ  吊下支持体ロックピン挿入孔
３ｆ  吊下支持体ロックピン
３ｇ  棒下方向差込口
３ｈ  横方向差込口
３ｉ  Ｌ型連結キャップネジ
３ｊ  Ｌ型連結キャップネジ孔
３ｋ  上部エンドキャップ
３ｎ  下部エンドキャップ
３ｐ  中空体雄ネジ部
３ｑ  中空体挿入孔
３ｒ  ナット
４    横長連結体
４ａ  突っ張り棒挿入孔
４ｂ  吊下支持体挿入孔
４ｃ  連結部
４ｄ  突っ張り棒ロックピン
４ｅ  ロックピン連結体固定孔
４ｆ  ベアリング
５    収納体
５ａ  収納体ロープ
５ｂ  バスタオルを入れる空間
５ｃ  フェイスタオルを入れる空間
５ｄ  仕切り部
５ｅ  バスタオル取出口
５ｆ  フェイスタオル取出口
６    吊下ロープ
７    天井接触部
８    外枠上板
９    バスタオル
１０  フェイスタオル
２１  昇降式収納機器
２２  突っ張り棒
２３  吊下支持体
２４  横長連結体
２４ａ  突っ張り棒挿入孔
３１  昇降式収納機器
３２  棒状支持部材
３３  吊下支持体
３４  竿棒部材
【図１】
2020018566.tif 000003
【図２】
2020018566.tif 000004
【図３】
2020018566.tif 000005
【図４】
2020018566.tif 000006
【図５】
2020018566.tif 000007
【図６】
2020018566.tif 000008
【図７】
2020018566.tif 000009
【図８】
2020018566.tif 000010
【図９】
2020018566.tif 000011
【図１０】
2020018566.tif 000012
【図１１】
2020018566.tif 000013
【図１２】
2020018566.tif 000014